(57)【要約】　　　（修正有）【課題】従来、蓄光材を路盤の舗装材の凹部に充填して誘導・表示を行った例はあったが、図柄や文字が路盤に固定されてしまうので、表示の変更や情報の更新ができず、不便であった。【解決手段】グレーチングＧ１の上面に嵌合用凹部２１を設けて該嵌合用凹部に図柄や文字を蓄光性主原料を用いて表示した嵌合板１１を嵌脱自在に嵌合させることにより、該嵌合板の向きを変更したり、該嵌合板自体を交換することで、表示の変更や情報の更新が自在にできるようにした。【選択図】　　　　図１
0003099817.tif 000002
【実用新案登録請求の範囲】
【請求項１】
グレーチング本体の上面略中央に正方形状の嵌合用凹部を設け、該嵌合用凹部に、該嵌合用凹部と同形で、嵌合された状態でその上面がグレーチング本体の上面と略同一平面になるように形成された正方形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体下面に再生プラスチックを用いて形成した安定脚を固着してなる蓄光材を利用した誘導・標識構造体。
【請求項２】
グレーチング本体の上面略中央に円形状の嵌合用凹部を設け、該嵌合用凹部に、該嵌合用凹部と同形で、嵌合された状態でその上面がグレーチング本体の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体下面に再生プラスチックを用いて形成した安定脚を固着してなる蓄光材を利用した誘導・標識構造体。
【請求項３】
グレーチング本体を、鋳物製の上層と、ステンレススチール製の下層を固着させて一体として形成し、グレーチング本体の上層の上面略中央に正方形状の嵌合用凹部を設け、該嵌合用凹部に、該嵌合用凹部と同形で、嵌合された状態でその上面がグレーチング本体の上層の上面と略同一平面になるように形成された正方形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体の下層の下面に再生プラスチックを用いて形成した安定脚を固着してなる誘導・標識構造体。
【請求項４】
グレーチング本体を、鋳物製の上層と、ステンレススチール製の下層を固着させて一体として形成し、グレーチング本体の上層の上面略中央に円形状の嵌合用凹部を設け、該嵌合用凹部に、該嵌合用凹部と同形で、嵌合された状態でその上面がグレーチング本体の上層の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体の下層の下面に再生プラスチックを用いて形成した安定脚を固着してなる誘導・標識構造体。
【請求項５】
　マンホールの蓋に設けられた凹部の一部または全部に、顔料と蓄光材を混合したものにさらに接着剤あるいは樹脂を混合した蓄光性主原料を充填固化させて形成してなる蓄光材を利用した誘導・標識構造体。
【請求項６】
　マンホールの蓋の上面略中央に円形状の嵌合用凹部を設け、該嵌合用凹部に、該嵌合用凹部と同形で、嵌合された状態でその上面がマンホールの蓋の凸部の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成してなる蓄光材を利用した誘導・標識構造体。
【考案の詳細な説明】
【技術分野】
【０００１】
　本考案は、蓄光材を利用した誘導・標識構造体に関し、詳しくは、次（イ）から（ヘ）のような誘導・標識構造体に関する物である。
（イ）グレーチング本体の上面略中央に正方形状の嵌合用凹部を設け、該嵌合用凹部に、該嵌合用凹部と同形で、嵌合された状態でその上面がグレーチング本体の上面と略同一平面になるように形成された正方形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体下面に再生プラスチックを用いて形成した安定脚を固着してなる蓄光材を利用した誘導・標識構造体。
【０００２】
（ロ）グレーチング本体の上面略中央に円形状の嵌合用凹部を設け、該嵌合用凹部に、該嵌合用凹部と同形で、嵌合された状態でその上面がグレーチング本体の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体下面に再生プラスチックを用いて形成した安定脚を固着してなる蓄光材を利用した誘導・標識構造体。
【０００３】
（ハ）グレーチング本体を、鋳物製の上層と、ステンレススチール製の下層を固着させて一体として形成し、グレーチング本体の上層の上面略中央に正方形状の嵌合用凹部を設け、該嵌合用凹部に、該嵌合用凹部と同形で、嵌合された状態でその上面がグレーチング本体の上層の上面と略同一平面になるように形成された正方形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体の下層の下面に再生プラスチックを用いて形成した安定脚を固着してなる誘導・標識構造体。
【０００４】
（ニ）グレーチング本体を、鋳物製の上層と、ステンレススチール製の下層を固着させて一体として形成し、グレーチング本体の上層の上面略中央に円形状の嵌合用凹部を設け、該嵌合用凹部に、該嵌合用凹部と同形で、嵌合された状態でその上面がグレーチング本体の上層の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体の下層の下面に再生プラスチックを用いて形成した安定脚を固着してなる誘導・標識構造体。
【０００５】
（ホ）マンホールの蓋に設けられた凹部の一部または全部に、顔料と蓄光材を混合したものにさらに接着剤あるいは樹脂を混合した蓄光性主原料を充填固化させて形成してなる蓄光材を利用した誘導・標識構造体。
【０００６】
（ヘ）マンホールの蓋の上面略中央に円形状の嵌合用凹部を設け、該嵌合用凹部に、該嵌合用凹部と同形で、嵌合された状態でその上面がマンホールの蓋の凸部の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成してなる蓄光材を利用した誘導・標識構造体。
【背景技術】
【０００７】
　従来、蓄光材を用いた製品としては、釣りのルアーや携帯電話のストラップ、マスコットキャラクター（人形）等の趣味的分野の他、電球の笠、ヘルメットや非常持ち出し袋等の防災用品等があった。
【０００８】
また避難誘導の分野においては、現在、建築物における非常口プレートに用いられ始めており（下記特許文献２）、さらに道路関係においては、点字ブロックやインターロッキングブロック等の路盤材に蓄光材を用いて矢印等を表示している例がある（下記特許文献１、３、４）。あるいは、蓄光材を用いたプレートを建築物の床に貼着するという発明も存在する（下記特許文献２）。
【０００９】
　しかしながら、側溝に載置されるグレーチングやマンホールに載置されるマンホールの蓋等の固定されない路面上の構造体に蓄光材が用いられた例はみられなかった。
【００１０】
　また、マンホールの蓋に彩色を施したり、顔料を混合した樹脂等を一部または全面に充填した製品はあったが、蓄光材が用いられた例はみられなかった。
【００１１】
　要するに、側溝に載置されるグレーチングやマンホールに載置されるマンホールの蓋等、固定されない路面上の構造体において蓄光材を用いて誘導表示、あるいは標識表示を行っている例は存在せず、この分野は未開拓の分野であるといいうる。
【特許文献１】特開平９−２５６１７号公報
【特許文献２】特開平１１−２４６１８号公報
【特許文献３】特開２００１−１４８０９０号公報
【特許文献３】特開２００２−２２０８１８号公報
【考案の開示】
【考案が解決しようとする課題】
【００１２】
　解決しようとする問題点は、以下のとおりである。すなわち、道路は、車両や自転車、歩行者の通行空間として重要な存在であり、交通安全上の分野において、また避難誘導や交通誘導や案内表示の分野において、様々な情報が、路面に表現されている。また、最近では、マンホールの蓋に様々な絵柄が描かれているものも多い。
【００１３】
　これら路面上の情報や絵柄は、塗料をもって路面上に描かれるものが主体であるが、夜間に照明のない場合、あるいは照明があっても弱かったり遠かったりした場合には視認し難く、その対策として、蛍光材あるいは蛍光体を用いたり、反射板を用いたり、さらには発光ダイオード等の発光体を用いて視認を容易ならしめる工夫がなされてきた。
【００１４】
　しかし、蛍光材、蛍光体反射板を用いる場合には、車両等独自の光源を有するものにおいては反射光によりその視認は容易であるが、歩行者等独自の光源を有しないものにおいては、照明がない場合や弱い場合、あるいは遠い場合には、視認が困難であるという問題が生ずる。また、ある程度の照明があって視認は可能でも、色彩の識別までは困難であるケースも多い。さらに、老人や視力の弱い人にとっては、照明の程度や距離によっては、視認そのものが困難になる場合も少なくない。
【００１５】
　さらに、発光ダイオード等の発光体を用いる場合には、歩行者等独自の光源を有しないものにおいてもその視認は容易であるものの、電源を必要とし、その構造が複雑なものとなり、設置費用もかさみ、故障等のトラブルも避け難い等の問題があった。
【００１６】
　これらの問題点を解決するために、前記のように点字ブロックやインターロッキングブロック等の路盤材に蓄光材を用いて矢印等の図柄や文字等を表示する方法が考えられた。また、前記特許文献２の蓄光顔料入り非難誘導補助用具を路盤上に貼着しても同様の効果をあげえると考えられる。
【００１７】
　しかしこれらは、一旦路盤に固定されると、その表示する方向を変更するのは難しく、かつ、表示内容に変更があったりした場合にも、情報の変更や更新等の対応は著しく困難であった。また、前記特許文献２の蓄光顔料入り非難誘導補助用具を路盤上に貼着した場合、該非難誘導補助用具は路盤面より高くなるので、交通の妨げになったり、あるいは車両や歩行者がその上を通行することにより剥離する可能性もある。
【課題を解決するための手段】
【００１８】
　本考案は、上記課題を解決する手段として以下に述べる蓄光材を利用した路面用構造体を提供するものである。
【００１９】
（１）グレーチング本体の上面略中央に正方形状の嵌合用凹部を設け、該嵌合用凹部に、該嵌合用凹部と同形で、嵌合された状態でその上面がグレーチング本体の上面と略同一平面になるように形成された正方形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体下面に再生プラスチックを用いて形成した安定脚を固着してなる蓄光材を利用した誘導・標識構造体を提供する。
【００２０】
（２）グレーチング本体の上面略中央に円形状の嵌合用凹部を設け、該嵌合用凹部に、該嵌合用凹部と同形で、嵌合された状態でその上面がグレーチング本体の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体下面に再生プラスチックを用いて形成した安定脚を固着してなる蓄光材を利用した誘導・標識構造体を提供する。
【００２１】
（３）グレーチング本体を、鋳物製の上層と、ステンレススチール製の下層を固着させて一体として形成し、グレーチング本体の上層の上面略中央に正方形状の嵌合用凹部を設け、該嵌合用凹部に、該嵌合用凹部と同形で、嵌合された状態でその上面がグレーチング本体の上層の上面と略同一平面になるように形成された正方形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体の下層の下面に再生プラスチックを用いて形成した安定脚を固着してなる誘導・標識構造体を提供する。
【００２２】
（４）グレーチング本体を、鋳物製の上層と、ステンレススチール製の下層を固着させて一体として形成し、グレーチング本体の上層の上面略中央に円形状の嵌合用凹部を設け、該嵌合用凹部に、該嵌合用凹部と同形で、嵌合された状態でその上面がグレーチング本体の上層の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成し、かつグレーチング本体の下層の下面に再生プラスチックを用いて形成した安定脚を固着してなる誘導・標識構造体を提供する。
【００２３】
（５）マンホールの蓋に設けられた凹部の一部または全部に、顔料と蓄光材を混合したものにさらに接着剤あるいは樹脂を混合した蓄光性主原料を充填固化させて形成してなる蓄光材を利用した誘導・標識構造体を提供する。
【００２４】
（６）マンホールの蓋の上面略中央に円形状の嵌合用凹部を設け、該嵌合用凹部に、該嵌合用凹部と同形で、嵌合された状態でその上面がマンホールの蓋の凸部の上面と略同一平面になるように形成された円形状の嵌合板を嵌脱自在に嵌合させ、さらに該嵌合板に誘導・標識用の図形あるいは文字が刻設された誘導・標識表示用凹部を設け、該誘導・標識表示用凹部に、顔料と蓄光材を混合したものにさらに接着剤あるいは樹脂を混合した蓄光性主原料を、充填された状態でその上面が上記嵌合板の上面と略同一平面になるように充填固化させて形成してなる蓄光材を利用した誘導・標識構造体を提供する。
【考案の効果】
【００２５】
　本考案は、グレーチングやマンホールの蓋等の、路面上にあって固定されていない構造体の上面に、グレーチングにおいては、顔料と蓄光材を混合したものにさらに接着剤あるいは樹脂を混合した蓄光性主原料を誘導・標識用の図形あるいは文字が刻設された誘導・標識表示用凹部に充填固化してなる嵌合板を、グレーチング本体に設けられた嵌合用凹部に嵌脱自在に嵌合させて形成した、蓄光材を利用した誘導・標識構造体を提供するものである。
【００２６】
　あるいはマンホールの蓋においては、上面の凹部に、顔料と蓄光材を混合したものにさらに接着剤あるいは樹脂を混合した蓄光性主原料を充填固化して形成した、蓄光材を利用した誘導・標識構造体を提供するものである。
【００２７】
　さらに、マンホールの蓋においては顔料と蓄光材を混合したものにさらに接着剤あるいは樹脂を混合した蓄光性主原料を誘導・標識用の図形あるいは文字が刻設された誘導・標識表示用凹部に充填固化してなる嵌合板を、該マンホールの蓋の嵌合用凹部に嵌脱自在に嵌合させて形成した、蓄光材を利用した誘導・標識構造体を提供するものである。
【００２８】
　本考案の蓄光材を利用した誘導・標識構造体は上記構成により、以下のような効果を齎すものである。
【００２９】
　本考案の蓄光材を利用した誘導・標識構造体によれば、夜間あるいは暗所において、照明のない場所でも、本考案の蓄光材を利用した誘導・標識構造体が発光することにより、該誘導・標識構造体に記された諸情報や絵柄等の視認がきわめて容易に行える。
【００３０】
　本考案の蓄光材を利用した誘導・標識構造体によれば、夜間あるいは暗所において、照明の弱い場所や照明から遠い場所でも、本考案の蓄光材を利用した誘導・標識構造体が発光することにより、該誘導・標識構造体に記された諸情報や絵柄等の視認が老人や視力の弱い人でもきわめて容易に行える。
【００３１】
　本考案においては、蛍光材、蛍光体、反射板を用いず、自ら発光する蓄光材を用いるので、歩行者等独自の光源を有しないものにおいてもその視認はきわめて容易である。
【００３２】
　本考案においては、発光ダイオード等の発光体とは異なり、電源が不要であるので、設置がきわめて容易であり、設置費用も安価で、故障等のトラブルもありえない。
【００３３】
　本考案の誘導・標識構造体のうち、グレーチング本体上面に嵌合板を設けた例においては、嵌合板の上面が嵌合された状態でグレーチング本体の上面と略同一平面となるよう形成され、かつ嵌合板に設けられた誘導・標識用の図形あるいは文字が刻設された誘導・標識表示用凹部に充填された蓄光性主原料が、充填された状態でその上面が上記嵌合板の上面と略同一平面となるよう充填固化して形成されているので、歩行者や車両等の通行者の障害になることがなく、歩行者や車両等の通行により剥離するというおそれもない。
【００３４】
　本考案の誘導・標識構造体のうち、マンホールの蓋の上面に嵌合板を設けた例においては、嵌合板の上面が嵌合された状態でマンホールの蓋の凸部の上面と略同一平面となるよう形成され、かつ嵌合板に設けられた誘導・標識用の図形あるいは文字が刻設された誘導・標識表示用凹部に充填された蓄光性主原料が、充填された状態でその上面が上記嵌合板の上面と略同一平面となるよう充填固化して形成されているので、歩行者や車両等の通行者の障害になることがなく、歩行者や車両等の通行により剥離するというおそれもない。
【００３５】
　本考案の誘導・標識構造体のうち、グレーチング本体上面に嵌合板を設けた例において、嵌合板と嵌合用凹部をともに正方形状としたものについては、該嵌合板がグレーチング本体に嵌脱自在に嵌合されているので、該嵌合板と上記嵌合用凹部のなす角度を９０°刻みで任意に変更可能である。
【００３６】
　したがって、利用状況により、例えば上記嵌合板の誘導・標識表示用凹部に充填された蓄光性主原料により矢印が描き出されていたとすれば、該矢印の指す方向を９０°刻みで任意に変更可能である。
【００３７】
　したがって、このような場合に、蓄光性主原料により矢印を描き出した嵌合板を１種類用意するだけで、グレーチング本体の方向にかかわらず４方向の方位を示すことが可能となり、誘導・標識構造体として、きわめて応用範囲の広いものとすることができる。
【００３８】
　本考案の誘導・標識構造体のうち、グレーチング本体上面に嵌合板を設けた例において、嵌合板と嵌合用凹部をともに円形状とした例においては、嵌合板がグレーチング本体に嵌脱自在に嵌合されているので、該嵌合板を上記嵌合用凹部内で回動可能であり、該嵌合板と上記嵌合用凹部のなす角度を任意な角度に変更可能である。
【００３９】
　したがって、利用状況により、例えば嵌合板の誘導・標識表示用凹部に充填された蓄光性主原料により矢印が描き出されていたとすれば、該矢印の指す方向を任意な方向に変更可能である。
【００４０】
　したがって、このような場合に、蓄光性主原料により矢印を描き出した嵌合板を１種類用意するだけで、３６０°の全範囲で任意の方位を示すことが可能となり、誘導・標識構造体として、さらに応用範囲の広いものとすることができる。
【００４１】
　本考案の誘導・標識構造体のうち、グレーチング本体上面に嵌合板を設けた例においては、該嵌合板が正方形状のものであっても円形状のものであっても、該嵌合板が嵌脱自在に嵌合されているので、該嵌合板の表示内容を変更する必要が生じた場合において、該嵌合板を容易に脱抜し、新たな表示内容を表示した嵌合板を容易に嵌合させることができる。すなわち、路面上に固定された表示方法に比較して、情報の変更や更新がきわめて容易に行えるものである。
【００４２】
　本考案の誘導・標識構造体のうち、グレーチング本体上面に嵌合板を設けた例において、グレーチング本体を上層と下層の２層構造としたものに関しては、嵌合板が嵌合される嵌合用凹部を有する上層を鋳物製とし、基盤となる下層をステンレススチール製としてあるので、嵌合用凹部を設ける上層に関しては鋳物の特性を生かして嵌合用凹部を設けるための工数の低減が図られ、基盤となる下層に関してはステンレススチールの特性を生かして重量の軽減が図られ、全体として嵌合用凹部を設けることが容易で、しかも重量の軽い誘導・標識構造体を実現し得るものである。
【００４３】
　本考案の誘導・標識構造体のうち、グレーチング本体上面に嵌合板を設けた例においては、グレーチング本体下面に固着される脚部分に再生プラスチックを用いているので、従来のスチール材にゴムを装着した脚部分を有するグレーチングに比較して、脚部分の製造および本体への装着がきわめて容易で、製造工程全体の工数の低減と製造原価の低減に資するところがまことに大であり、かつまた、リサイクルも容易で、資源保護の観点からみても得るところは大である。
【００４４】
　本考案の誘導・標識構造体のうち、マンホールの蓋の上面に設けられた凹部の一部または全部に、顔料と蓄光材を混合したものにさらに接着剤あるいは樹脂を混合した蓄光性主原料を充填固化して形成した例においては、道路上に多数配置されているマンホールの蓋を誘導あるいは標識の表示盤として使用可能であり、照明の少ない街路等における夜間の歩行者誘導等に関し、多大な効果を有するものである。
【００４５】
　また、マンホールの蓋に、公共施設や名所旧跡の名称や方向等を凹凸をもって表現し、このようなマンホールの蓋の凹部の一部または全部に、顔料と蓄光材を混合したものにさらに接着剤あるいは樹脂を混合した蓄光性主原料を充填固化させて形成することにより、夜間に公共施設や名所旧跡の名称や方向等を光をもって浮き立たせて案内表示用の標識とするという効果を齎すことが可能である。
【００４６】
　本考案の誘導・標識構造体のうち、マンホールの蓋の上面に嵌合板を設けた例においては、嵌合板と嵌合用凹部をともに円形状とし、さらに該嵌合板がマンホールの蓋に嵌脱自在に嵌合されているので、該嵌合板を上記嵌合用凹部内で回動可能であり、該嵌合板と上記嵌合用凹部のなす角度を任意な角度に変更可能である。
【００４７】
　したがって、利用状況により、例えば嵌合板の誘導・標識表示用凹部に充填された蓄光性主原料により矢印が描き出されていたとすれば、該矢印の指す方向を任意な方向に変更可能である。
【００４８】
　したがって、このような場合に、蓄光性主原料により矢印を描き出した嵌合板を１種類用意するだけで、３６０°の全範囲で任意の方位を示すことが可能となり、誘導・標識構造体として、さらに応用範囲の広いものとすることができる。
【００４９】
　本考案の誘導・標識構造体のうち、マンホールの蓋の上面の嵌合用凹部に嵌合板を設けた例においては、該嵌合板が上記嵌合用凹部に嵌脱自在に嵌合されているので、該嵌合板の表示内容を変更する必要が生じた場合においても、該嵌合板を容易に脱抜し、新たな表示内容を表示した嵌合板を容易に嵌合させることができる。すなわち、路面上に固定された表示方法に比較して、情報の変更や更新がきわめて容易に行えるものである。
【考案を実施するための最良の形態】
【００５０】
　本考案の蓄光材を利用した路面用構造体を実施するための最良の形態を、別紙図面を参照しながら詳細に説明する。
【実施例１】
【００５１】
　図１及び図２に見るように、グレーチング本体Ｇ１の上面に枠体Ｗ１で囲繞された正方形状の嵌合用凹部２１を設け、該嵌合用凹部２１に該嵌合用凹部２１と同形の正方形状の嵌合板１１を嵌脱自在に嵌合させる。嵌合板１１は、枠体Ｗ１によってその側面が、グレーチング本体Ｇ１の桟Ｓによってその下面が嵌合状態に保持される（桟Ｓは該嵌合用凹部２１の部分が欠截されている）。また、嵌合板１１は、その上面がグレーチング本体Ｇ１の上面と略同一平面となるように形成されている。（図２参照）
【００５２】
　グレーチング本体Ｇ１の素材は鋳物あるいはステンレススチールとする。また、嵌合板１１の素材は、合成樹脂あるいは金属あるいは木製とする。
【００５３】
　嵌合板１１には誘導・標識表示用凹部３１が刻設されており、該誘導・標識表示用凹部３１には顔料と蓄光材を混合したものにさらに接着剤あるいは樹脂を混合した蓄光性主原料Ｔが充填固化されている。
【００５４】
　蓄光性主原料Ｔには接着剤あるいは樹脂が混合されているので、蓄光性主原料Ｔの硬化により蓄光性主原料Ｔは誘導・標識表示用凹部３１の内壁３１ａ（図２参照）に強力に接着固着される。
【００５５】
　また、蓄光性主原料Ｔは、その上面が嵌合板１１の上面と略同一平面となるように充填固化して形成されている。（図２参照）
【００５６】
　さらに、グレーチングＧ１の下部には、再生プラスチック製の脚４１ａ，４１ｂが固着されている。脚４１ａ，４１ｂの固着方法は、接着、溶着、貼着、螺着等、固着が容易かつ完全に行われるものであればその方法は問わない。
【００５７】
　この実施例１では、嵌合板１１に設けられる誘導・標識表示用凹部３１は矢印型をなし、したがって誘導・標識表示用凹部３１に充填される蓄光性主原料Ｔも矢印型をなす。実施例１では、矢印型をなす蓄光性主原料Ｔが添付された文字Ｌと相俟って、全体が避難地の方向を示す誘導標識となっている。
【００５８】
　この実施例１においては、誘導・標識表示用凹部３１と嵌合板１１は同一寸法の正方形状に形成され、嵌合板１１は誘導・標識表示用凹部３１に嵌脱自在に嵌合されているので、嵌合板１１が誘導・標識表示用凹部３１に対して有する水平方向の角度を９０°刻みで変化させることが可能であり、結果として、図３ａから図３ｄに示すように４通りの表示が可能である。
【００５９】
　この実施例１では、嵌合板１１に設けられる誘導・標識表示用凹部３１は矢印型をなし、したがって誘導・標識表示用凹部３１に充填される蓄光性主原料Ｔも矢印型をなしているので、嵌合板１１を図３ａから図３ｄに示す４通りの嵌合状態とすることにより、グレーチング本体Ｇ１を固定した状態で９０°刻みで４通りの方角を表示することが可能である。
【００６０】
　図４には、本考案の実施例１の誘導・標識構造体の使用状態の縦断面図を示す。路面Ｒに埋設された側溝Ｃの段部Ｄに、グレーチング本体Ｇ１の下面に固着された脚４１ａ，４１ｂが載置されることにより本考案の実施例１の誘導・標識構造体は側溝Ｃの上面に載置されるものである。
【実施例２】
【００６１】
　図５及び図６に見るように、グレーチング本体Ｇ２の上面に枠体Ｗ２によって囲繞された円形状の嵌合用凹部２２を設け、該嵌合用凹部２２に該嵌合用凹部２２と同形の円形状の嵌合板１２を嵌脱自在に嵌合させる。嵌合板１２は、枠体Ｗ２によってその側面が、グレーチング本体Ｇ２の桟Ｓによってその下面が嵌合状態に保持される（桟Ｓは該嵌合用凹部２２の部分が欠截されている）。また、嵌合板１２は、その上面がグレーチング本体Ｇ２の上面と略同一平面となるように形成されている。（図６参照）
【００６２】
　グレーチング本体Ｇ２の素材は鋳物あるいはステンレススチールとする。また、嵌合板１２の素材は、合成樹脂あるいは金属あるいは木製とする。
【００６３】
　嵌合板１２には誘導・標識表示用凹部３２が刻設されており、該誘導・標識表示用凹部３２には顔料と蓄光材を混合したものにさらに接着剤あるいは樹脂を混合した蓄光性主原料Ｔが充填固化されている。
【００６４】
　蓄光性主原料Ｔには接着剤あるいは樹脂が混合されているので、蓄光性主原料Ｔの硬化により蓄光性主原料Ｔは誘導・標識表示用凹部３２の内壁３２ａ（図６参照）に強力に接着固着される。
【００６５】
　また、蓄光性主原料Ｔは、その上面が嵌合板１２の上面と略同一平面となるように充填固化して形成されている。（図６参照）
【００６６】
　さらに、グレーチング本体Ｇ２の下部には、再生プラスチック製の脚４２ａ，４２ｂが固着されている。脚４２ａ，４２ｂの固着方法は、接着、溶着、貼着、螺着等、固着が容易かつ完全に行われるものであればその方法は問わない。
【００６７】
　この実施例２では、嵌合板１２に設けられる誘導・標識表示用凹部３２は矢印型をなし、したがって誘導・標識表示用凹部３２に充填される蓄光性主原料Ｔも矢印型をなす。実施例２では、矢印型をなす蓄光性主原料Ｔが添付された文字Ｌと相俟って、全体が避難地の方向を示す誘導標識となっている。
【００６８】
　この実施例２においては、誘導・標識表示用凹部３２と嵌合板１２は同一寸法の円形状に形成され嵌脱自在に嵌合されているので、嵌合板１２を誘導・標識表示用凹部３２内で回動させることにより、嵌合板１２がグレーチング本体Ｇ２に対して有する水平方向の角度を連続的に変化させることが可能であり、結果として、図７ａ及び図７ｂに示すようにグレーチング本体Ｇ２に対して任意の斜め方向を指す表示も可能となる。
【００６９】
　この実施例２では、嵌合板１２に設けられる誘導・標識表示用凹部３２は矢印型をなし、したがって該誘導・標識表示用凹部３２に充填される蓄光性主原料Ｔも矢印型をなしているので、嵌合板１２を任意の角度で回動させることにより、グレーチング本体Ｇ２を固定した状態で、グレーチング本体Ｇ２に対して３６０°あらゆる方角を指し示す表示が可能となる。
【実施例３】
【００７０】
　図８及び図９に見るように、グレーチング本体Ｇ３は、上層Ｇ３ａと下層Ｇ３ｂより構成されており、上層Ｇ３ａは鋳物製で、下層Ｇ３ｂはステンレススチール製である。
【００７１】
　上層Ｇ３ａと下層Ｇ３ｂは固着され一体として形成されている。上層Ｇ３ａと下層Ｇ３ｂの固着方法は、接着、溶着、貼着、螺着等、固着が容易かつ完全に行われるものであればその方法は問わない。
【００７２】
　上層Ｇ３ａに枠体Ｗ３によって囲繞された正方形状の嵌合用凹部２３を設け、該嵌合用凹部２３に該嵌合用凹部２３と同形の正方形状の嵌合板１３を嵌脱自在に嵌合させる。嵌合板１３は、枠体Ｗ３によってその側面が、下層Ｇ３ｂの桟Ｓ´によってその下面が嵌合状態に保持される。また、嵌合板１３は、その上面がグレーチング本体Ｇ３の上面と略同一平面となるように形成されている。（図９参照）　嵌合板１３の素材は、合成樹脂あるいは金属あるいは木製とする。
【００７３】
　嵌合板１３には誘導・標識表示用凹部３３が刻設されており、該誘導・標識表示用凹部３３には顔料と蓄光材を混合したものにさらに接着剤あるいは樹脂を混合した蓄光性主原料Ｔが充填固化されている。
【００７４】
蓄光性主原料Ｔには接着剤あるいは樹脂が混合されているので、蓄光性主原料Ｔの硬化により蓄光性主原料Ｔは誘導・標識表示用凹部３３の内壁３３ａに強力に接着固着される。（図９参照）
【００７５】
　また、蓄光性主原料Ｔは、その上面が嵌合板１３の上面と略同一平面となるように形成されている。
【００７６】
　さらに、下層Ｇ３ｂの下部には、再生プラスチック製の脚４３ａ，４３ｂが固着されている。脚４３ａ，４３ｂの固着方法は、接着、溶着、貼着、螺着等、固着が容易かつ完全に行われるものであればその方法は問わない。
【００７７】
　この実施例３においては、誘導・標識表示用凹部３３と嵌合板１３は同形の正方形状に形成され、嵌合板１３は誘導・標識表示用凹部３３に嵌脱自在に嵌合されているので、嵌合板１３が誘導・標識表示用凹部３３に対して有する水平方向の角度を９０°刻みで変化させることが可能である。
【００７８】
　この実施例３では、嵌合板１３に設けられる誘導・標識表示用凹部３３は矢印型をなし、したがって誘導・標識表示用凹部３３に充填される蓄光性主原料Ｔも矢印型をなしているので、嵌合板１３を上記４通りの嵌合状態とすることにより、グレーチング本体Ｇ３を固定した状態で９０°刻みで４通りの方角を表示することが可能である。
【実施例４】
【００７９】
　実施例４は、図１０に見るように、グレーチング本体Ｇ４の上面の枠体Ｗ４に囲繞された嵌合用凹部２４に嵌脱自在に嵌合された嵌合板１４の誘導・標識表示用凹部３４を音符の形とし、ここに蓄光性主原料Ｔを充填固化したものであり、文字Ｌとあいまって、音楽ホールの所在を表示する標識として機能する。このように、誘導・標識表示用凹部３４を適宜様々な形態にすることにより、該誘導・標識表示用凹部３４に充填された蓄光性主原料Ｔを様々な形態にすることが可能であり、これにより様々な情報を表示することが可能である。
【実施例５】
【００８０】
　図１１及び図１２には、マンホールの蓋Ｍ１の上面の中央凹部５１に顔料と蓄光材を混合したものにさらに接着剤あるいは樹脂を混合した蓄光性主原料Ｔを充填固化させて形成した実施例５を示す。蓄光性主原料Ｔには接着剤あるいは樹脂が混合されているので、蓄光性主原料Ｔの硬化により蓄光性主原料Ｔは中央凹部５１の内壁５１ａに強力に接着固着される。
【００８１】
　マンホールの蓋Ｍ１には、構造上凹部５と凸部６があり、この凹部５と凸部６が作るパターンが特有の意匠を形成する。実施例５に示すマンホールの蓋Ｍ１にては、中央凹部５１に蓄光性主原料Ｔが充填固化されることにより、中央凹部５１内に凸部６１として形成された矢印が明確に浮かび上がり、文字Ｌとあいまって避難地の方向を指し示すものである。
【００８２】
　これ以外にも、マンホールの蓋に、公共施設や名所旧跡の名称や方向等を凹凸をもって表現し（図示せず）、このようなマンホールの蓋の凹部の一部または全部に、顔料と蓄光材を混合したものにさらに接着剤あるいは樹脂を混合した蓄光性主原料を充填固化させて形成することにより、夜間に公共施設や名所旧跡の名称や方向等を光をもって浮き立たせて案内表示とすることができる。
【実施例６】
【００８３】
　図１３及び図１４に見るように、マンホールの蓋Ｍ２の上面に枠体Ｗ５によって囲繞された円形状の嵌合用凹部２５を設け、該嵌合用凹部２５に該嵌合用凹部２５と同形の円形状の嵌合板１５を嵌脱自在に嵌合させる。嵌合板１５は、枠体Ｗ５によってその側面が、マンホールの蓋Ｍ２の本体部分Ｕによってその下面が嵌合状態に保持される。また、嵌合板１５は、その上面がマンホールの蓋Ｍ２の上面と略同一平面となるように形成されている。（図１４参照）
【００８４】
　嵌合板１５には誘導・標識表示用凹部３５が刻設されており、該誘導・標識表示用凹部３５には顔料と蓄光材を混合したものにさらに接着剤あるいは樹脂を混合した蓄光性主原料Ｔが充填固化されている。
【００８５】
　蓄光性主原料Ｔには接着剤あるいは樹脂が混合されているので、蓄光性主原料Ｔの硬化により蓄光性主原料Ｔは誘導・標識表示用凹部３５の内壁３５ａ（図１４参照）に強力に接着固着される。
【００８６】
　また、蓄光性主原料Ｔは、その上面が嵌合板１５の上面と略同一平面となるように充填形成されている。（図１４参照）
【００８７】
　この実施例６では、嵌合板１５に設けられる誘導・標識表示用凹部３５は矢印型をなし、したがって誘導・標識表示用凹部３５に充填される蓄光性主原料Ｔも矢印型をなす。実施例６では、矢印型をなす蓄光性主原料Ｔが添付された文字Ｌと相俟って、全体が避難地の方向を示す誘導標識となっている。
【００８８】
　この実施例６においては、誘導・標識表示用凹部３５と嵌合板１５は同一寸法の円形状に形成され嵌脱自在に嵌合されているので、嵌合板１５を誘導・標識表示用凹部３５内で回動させることにより、嵌合板１５がマンホールの蓋Ｍ２に対して有する水平方向の角度を連続的に変化させることが可能であり、結果として、マンホールの蓋Ｍ２に対して任意の斜め方向を指す表示（図示せず）も可能となる。
【００８９】
　この実施例６では、嵌合板１５に設けられる誘導・標識表示用凹部３５は矢印型をなし、したがって該誘導・標識表示用凹部３５に充填される蓄光性主原料Ｔも矢印型をなしているので、嵌合板１５を任意の角度で回動させることにより、マンホールの蓋Ｍ２を固定した状態で、マンホールの蓋Ｍ２に対して３６０°あらゆる方角を指し示す表示が可能となる。
【図面の簡単な説明】
【００９０】
【図１】本考案の蓄光材を利用した誘導・標識構造体の１実施例の外観斜視図である。
【図２】図１のＡ−Ａ縦断面図である。
【図３ａ】本考案の蓄光材を利用した誘導・標識構造体の１実施例の外観斜視図である。
【図３ｂ】本考案の蓄光材を利用した誘導・標識構造体の１実施例の外観斜視図である。
【図３ｃ】本考案の蓄光材を利用した誘導・標識構造体の１実施例の外観斜視図である。
【図３ｄ】本考案の蓄光材を利用した誘導・標識構造体の１実施例の外観斜視図である。
【図４】本考案の蓄光材を利用した誘導・標識構造体の１実施例の使用状態を示す縦断面図である。
【図５】本考案の蓄光材を利用した誘導・標識構造体の１実施例の外観斜視図である。
【図６】図５のＢ−Ｂ縦断面図である。
【図７ａ】本考案の蓄光材を利用した誘導・標識構造体の１実施例の外観斜視図である。
【図７ｂ】本考案の蓄光材を利用した誘導・標識構造体の１実施例の外観斜視図である。
【図８】本考案の蓄光材を利用した誘導・標識構造体の１実施例の外観斜視図である。
【図９】図８のＣ−Ｃ縦断面図である。
【図１０】本考案の蓄光材を利用した誘導・標識構造体の１実施例の外観斜視図である。
【図１１】本考案の蓄光材を利用した誘導・標識構造体の１実施例の外観斜視図である。
【図１２】図１１のＤ−Ｄ縦断面図である。
【図１３】本考案の蓄光材を利用した誘導・標識構造体の１実施例の外観斜視図である。
【図１４】図１３のＥ−Ｅ縦断面図である。
【符号の説明】
【００９１】
　Ｃ　　　側溝
　Ｄ　　　段部
　Ｇ１　　グレーチング本体
　Ｇ２　　グレーチング本体
　Ｇ３　　グレーチング本体
　Ｇ４　　グレーチング本体
　Ｇ３ａ　上層
　Ｇ３ｂ　下層
　Ｌ　　　文字
　Ｍ１　　マンホールの蓋
　Ｍ２　　マンホールの蓋
　Ｒ　　　路面
　Ｓ　　　桟
　Ｓ´　　桟
　Ｔ　　　蓄光性主原料
　Ｕ　　　本体部分
　Ｗ１　　枠体
　Ｗ２　　枠体
　Ｗ３　　枠体
　Ｗ４　　枠体
　Ｗ５　　枠体
　１１　　嵌合板　
　１２　　嵌合板
　１３　　嵌合板
　１４　　嵌合板
　１５　　嵌合板
　２１　　嵌合用凹部
　２２　　嵌合用凹部
　２３　　嵌合用凹部
　２４　　嵌合用凹部
　２５　　嵌合用凹部
　３１　　誘導・標識表示用凹部
　３１ａ　内壁
　３２　　誘導・標識表示用凹部
　３２ａ　内壁
　３３　　誘導・標識表示用凹部
　３３ａ　内壁
　３４　　誘導・標識表示用凹部
　３５　　誘導・標識表示用凹部
　３５ａ　内壁
　４１ａ　脚
　４１ｂ　脚
　４２ａ　脚
　４２ｂ　脚
　４３ａ　脚
　４３ｂ　脚
　５　　　凹部
　５１　　中央凹部
　６　　　凸部
　６１　　凸部
【図１】
0003099817.tif 000003
【図２】
0003099817.tif 000004
【図３ａ】
0003099817.tif 000005
【図３ｂ】
0003099817.tif 000006
【図３ｃ】
0003099817.tif 000007
【図３ｄ】
0003099817.tif 000008
【図４】
0003099817.tif 000009
【図５】
0003099817.tif 000010
【図６】
0003099817.tif 000011
【図７ａ】
0003099817.tif 000012
【図７ｂ】
0003099817.tif 000013
【図８】
0003099817.tif 000014
【図９】
0003099817.tif 000015
【図１０】
0003099817.tif 000016
【図１１】
0003099817.tif 000017
【図１２】
0003099817.tif 000018
【図１３】
0003099817.tif 000019
【図１４】
0003099817.tif 000020